(57)【特許請求の範囲】
【請求項１】
複数の熱交換機系統の各々が１又は複数の部屋を受け持ちかつ熱交換機系統毎に稼動と停止を制御される、前記複数の熱交換機系統を備えたホテル等における部屋割当を支援する部屋割当支援装置であって、
（ａ）各熱交換機系統と当該熱交換機系統の受持ち部屋の数及び場所とを対応づけて予め格納した熱交換機系統登録テーブルと、
（ｂ）複数の熱交換機系統の全停止状態から順次稼動させて全稼動状態とするまでの系統稼動順が予め決定されており、前記系統稼動順に従って各熱交換機系統を順次稼動させていくときの各熱交換機系統の受持ち部屋の数を累積した使用室数を、前記系統稼動順と対応付けて予め格納した系統稼動特性テーブルと、
（ｃ）部屋割当を行う日の予約室数を取得する手段と、
（ｄ）取得した前記予約室数に該当する使用室数を前記系統稼動特性テーブルから検出し、検出した前記使用室数において稼動させる熱交換機系統及び停止させる熱交換機系統を、前記系統稼動順に基づいて決定する手段と、
（ｅ）決定した前記稼動させる熱交換機系統の受持ち部屋の場所を前記熱交換機系統登録テーブルから取得し、割当可能な部屋として決定する手段と、を有することを特徴とする
ホテル等の部屋割当支援装置。
【請求項２】
前記複数の熱交換機系統の各々のエネルギー使用量が同じでありかつ各々の受持ち部屋の数が異なる場合、前記系統稼動順が、受持ち部屋の数の多い順に決定されていることを特徴とする請求項１に記載のホテル等の部屋割当支援装置。
【請求項３】
前記熱交換機系統登録テーブルに、各熱交換機系統と当該熱交換機系統のエネルギー使用量とをさらに対応付けて予め格納しており、
前記複数の熱交換機系統の各々のエネルギー使用量が異なりかつ各々の受持ち部屋の数が同じ場合、前記系統稼動順が、エネルギー使用量の小さい順に決定されていることを特徴とする請求項１に記載のホテル等の部屋割当支援装置。
【請求項４】
複数の熱交換機系統の各々が所定のエネルギー使用量であり複数の部屋を受け持ちかつ熱交換機系統毎に稼動と停止を制御される、前記複数の熱交換機系統を備えたホテル等における部屋割当を支援する部屋割当支援装置であって、
（ａ）複数の熱交換機系統のうち受持ち部屋の数及びエネルギー使用量の双方が同じであるものを１つの系統群として、複数の熱交換系統を１又は複数の系統群に区分した上で、各熱交換機系統と、当該熱交換機系統の受持ち部屋の数及び場所と、当該熱交換機系統のエネルギー使用量と、を対応づけて予め格納した熱交換機系統登録テーブルと、
（ｂ）複数の熱交換機系統の全停止状態から順次稼動させて全稼動状態とするまでの系統稼動順の全ての順列を、１つの前記系統群に含まれる熱交換機系統を同じものとして扱って求めるとともに、求められた前記系統稼動順の各々について、当該系統稼動順に従って各熱交換機系統を順次稼動させていくときの、各熱交換機系統の受持ち部屋の数を累積した使用室数と、各熱交換機系統のエネルギー使用量を累積したエネルギー使用量累積値と、を、当該系統稼動順と対応付けて予め格納した系統稼動順毎の系統稼動特性テーブルと、
（ｃ）部屋割当を行う日の予約室数を含む予約情報を取得する手段と、
（ｄ１）取得した前記予約室数に該当する使用室数を、全ての前記系統稼動特性テーブルからそれぞれ検出し、検出した前記使用室数におけるエネルギー使用量累積値をそれぞれ取得する手段と、
（ｄ２）取得した前記系統稼動順毎のエネルギー使用量累積値を比較することにより、エネルギー使用量累積値が最小である１又は複数の系統稼動順を抽出する手段と、
（ｄ３）抽出した前記１又は複数の系統稼動順の中から１つの系統稼動順が決定されたことに応じて、決定された系統稼動順について、前記使用室数において稼動させる熱交換機系統及び停止させる熱交換機系統を、前記決定された系統稼動順に基づいて決定する手段と、
（ｅ）決定した前記稼動させる熱交換機系統の受持ち部屋の場所を前記熱交換機系統登録テーブルから取得し、割当可能な部屋として決定する手段と、を有することを特徴とする
ホテル等の部屋割当支援装置。
【請求項５】
前記（ｄ１）の手段において、全ての前記系統稼動特性テーブルから該当する使用室数を検出する替わりに、比較対象として選択された複数の前記系統稼動特性テーブルから該当する使用室数を検出し、検出した前記使用室数におけるエネルギー使用量累積値をそれぞれ取得することを特徴とする請求項４に記載のホテル等の部屋割当支援装置。
【請求項６】
前記（ｃ）の手段において、前記予約情報に指定室の情報が含まれている場合、前記指定室を受け持つ熱交換機系統を前記熱交換機系統登録テーブルから取得する手段をさらに有し、
取得した前記熱交換機系統を先頭とする系統稼動順の前記系統稼動特性テーブルのみを比較対象として選択することを特徴とする請求項５に記載のホテル等の部屋割当支援装置。
【発明の詳細な説明】
【技術分野】
【０００１】
本発明は、ホテル等における部屋割当を支援するシステムに関し、特に、省エネルギーのために、複数の部屋の冷暖房を受け持つ熱交換機系統を考慮して部屋割当を支援するシステムに関する。
【背景技術】
【０００２】
ホテルや旅館等の宿泊施設（以下、「ホテル」を典型例として説明する）では、毎日、宿泊客に対して部屋割当を行っている。コンピュータによる予約システムを用いて当日必要な使用室数を管理しているホテルも多い。通常、ホテルの部屋割当を行う場合、宿泊客の希望や当該ホテルのマニュアルや種々の事情に応じて部屋割当が行われる。このような部屋割当を効率よく行うシステムも幾つか提示されている。
【０００３】
例えば、特許文献１では、利用申込者の利用日における予定行動場所に最も近接した部屋を割り当てるシステムを開示している。
【先行技術文献】
【特許文献】
【０００４】
【特許文献１】特開２００６−１２６９４４号公報
【発明の概要】
【発明が解決しようとする課題】
【０００５】
ここで、ある程度の規模以上のホテルでは、複数の熱交換機系統からなる冷暖房システムを備えている。１つの熱交換機系統は、１つの熱交換機である室外機と、当該室外機が受け持つ複数の部屋の各々に設置された室内機とから構成されている。１つの熱交換機系統の稼働及び停止の制御は、その熱交換機系統の熱交換機（室外機）の稼働及び停止の制御により行われる。
【０００６】
図２４（ａ）（ｂ）は、従来例として、複数の熱交換機系統を備えたホテルにおける部屋割当と熱交換機系統の稼動状況の関係を示した図である。（ａ）は、ホテルの部屋構成と熱交換機系統構成を模式的に示した図である。（ｂ）は、（ａ）の構成において部屋割当を行った状況を示した図である。
【０００７】
図２４（ａ）では、５つの階層の各階の部屋数が、上層から下層へ順に１０室、１０室、１２室、１４室及び１４室となっており、全室数は６０室である。この例では各階が１つの熱交換機系統となっており、１つの熱交換機（室外機）が当該階の全ての部屋の室内機を受け持つ。熱交換機は、上層から下層へ順にHP1、HP2、HP3、HP4及びHP5である。この例では、５つの熱交換機系統のエネルギー使用量は同じであり、例えば２kw／hとする。全ての熱交換機系統が稼動したときの最大エネルギー使用量は、１０ｋW／hとなる。
【０００８】
本明細書で「エネルギー使用量」とは、当該熱交換機系統すなわち室外機を稼動したときのエネルギー消費量の目安であり、理論値である。この理論値は、熱交換機の定格や過去の実績値（例えば季節や特別な期間毎に異なる）をもとに算出される。この理論値は、所定の季節や期間におけるエネルギー使用量の予測値として妥当と考えられる値である。なお、本明細書では、各室内機の稼働／停止によるエネルギー使用量の差は考慮しないこととする。
【０００９】
図２４（ｂ）は、使用室数４５室（使用室率７５％、空室率２５％）の場合の部屋割当状況を示した図である。斜線部分が割当を行った部屋である。この場合、全ての階において部屋割当が行われているので、全ての熱交換機系統を稼動（ON）させる必要がある。各熱交換機は、複数の受持ち部屋のうちの１つでも使用される場合は、他の受持ち部屋が空室であっても稼動させなければならない。つまり、使用率７５％でも、熱交換機系統の全エネルギー使用量は最大の１００％となる。
【００１０】
ここで、熱交換機HP2についてみると、その受持ち部屋１０室のうち７室が使用されている。仮にこれらの７室を、下層階の空室に振り替えたとすれば、熱交換機HP2の受持ち部屋は全て空室となるので、熱交換機HP2を停止させることができる。これにより、全エネルギー使用量を１００％から８０％に減らせる。従来は、このような熱交換機系統とその受持ち部屋の関係を考慮したホテルの部屋割当は行われていなかった。
【００１１】
以上のような現状に鑑み本発明は、ホテル等において省エネルギーを図るために、複数の熱交換機系統とその受持ち部屋との関係を考慮して部屋割当を行うことを支援する部屋割当支援装置を提供することを目的とする。
【課題を解決するための手段】
【００１２】
上記の目的を実現するために本発明は、以下の構成を提供する。
本発明によるホテル等における部屋割当支援装置の第１の態様は、複数の熱交換機系統の各々が１又は複数の部屋を受け持ちかつ熱交換機系統毎に稼動と停止を制御される、前記複数の熱交換機系統を備えたホテル等における部屋割当を支援する部屋割当支援装置であって、
（ａ）各熱交換機系統と当該熱交換機系統の受持ち部屋の数及び場所とを対応づけて予め格納した熱交換機系統登録テーブルと、
（ｂ）複数の熱交換機系統の全停止状態から順次稼動させて全稼動状態とするまでの系統稼動順が予め決定されており、前記系統稼動順に従って各熱交換機系統を順次稼動させていくときの各熱交換機系統の受持ち部屋の数を累積した使用室数を、前記系統稼動順と対応付けて予め格納した系統稼動特性テーブルと、
（ｃ）部屋割当を行う日の予約室数を取得する手段と、
（ｄ）取得した前記予約室数に該当する使用室数を前記系統稼動特性テーブルから検出し、検出した前記使用室数において稼動させる熱交換機系統及び停止させる熱交換機系統を、前記系統稼動順に基づいて決定する手段と、
（ｅ）決定した前記稼動させる熱交換機系統の受持ち部屋の場所を前記熱交換機系統登録テーブルから取得し、割当可能な部屋として決定する手段と、を有するものである。
【００１３】
上記第１の態様において、前記複数の熱交換機系統の各々のエネルギー使用量が同じでありかつ各々の受持ち部屋の数が異なる場合、前記系統稼動順が、受持ち部屋の数の多い順に決定されていることが、好適である。
【００１４】
上記第１の態様において、前記熱交換機系統登録テーブルに、各熱交換機系統と当該熱交換機系統のエネルギー使用量とをさらに対応付けて予め格納しており、
前記複数の熱交換機系統の各々のエネルギー使用量が異なりかつ各々の受持ち部屋の数が同じ場合、前記系統稼動順が、エネルギー使用量の小さい順に決定されていることが、好適である。
【００１５】
本発明によるホテル等における部屋割当支援装置の第１の態様は、複数の熱交換機系統の各々が所定のエネルギー使用量であり複数の部屋を受け持ちかつ熱交換機系統毎に稼動と停止を制御される、前記複数の熱交換機系統を備えたホテル等における部屋割当を支援する部屋割当支援装置であって、
（ａ）複数の熱交換機系統のうち受持ち部屋の数及びエネルギー使用量の双方が同じであるものを１つの系統群として、複数の熱交換系統を１又は複数の系統群に区分した上で、各熱交換機系統と、当該熱交換機系統の受持ち部屋の数及び場所と、当該熱交換機系統のエネルギー使用量と、を対応づけて予め格納した熱交換機系統登録テーブルと、
（ｂ）複数の熱交換機系統の全停止状態から順次稼動させて全稼動状態とするまでの系統稼動順の全ての順列を、１つの前記系統群に含まれる熱交換機系統を同じものとして扱って求めるとともに、求められた前記系統稼動順の各々について、当該系統稼動順に従って各熱交換機系統を順次稼動させていくときの、各熱交換機系統の受持ち部屋の数を累積した使用室数と、各熱交換機系統のエネルギー使用量を累積したエネルギー使用量累積値と、を、当該系統稼動順と対応付けて予め格納した系統稼動順毎の系統稼動特性テーブルと、
（ｃ）部屋割当を行う日の予約室数を含む予約情報を取得する手段と、
（ｄ１）取得した前記予約室数に該当する使用室数を、全ての前記系統稼動特性テーブルからそれぞれ検出し、検出した前記使用室数におけるエネルギー使用量累積値をそれぞれ取得する手段と、
（ｄ２）取得した前記系統稼動順毎のエネルギー使用量累積値を比較することにより、エネルギー使用量累積値が最小である１又は複数の系統稼動順を抽出する手段と、
（ｄ３）抽出した前記１又は複数の系統稼動順の中から１つの系統稼動順が決定されたことに応じて、決定された系統稼動順について、前記使用室数において稼動させる熱交換機系統及び停止させる熱交換機系統を、前記決定された系統稼動順に基づいて決定する手段と、
（ｅ）決定した前記稼動させる熱交換機系統の受持ち部屋の場所を前記熱交換機系統登録テーブルから取得し、割当可能な部屋として決定する手段と、を有するものである。
【００１６】
上記第２の態様の前記（ｄ１）の手段において、全ての前記系統稼動特性テーブルから該当する使用室数を検出する替わりに、比較対象として選択された複数の前記系統稼動特性テーブルから該当する使用室数を検出し、検出した前記使用室数におけるエネルギー使用量累積値をそれぞれ取得することが、好適である。
【００１７】
上記第２の態様の前記（ｃ）の手段において、前記予約情報に指定室の情報が含まれている場合、前記指定室を受け持つ熱交換機系統を前記熱交換機系統登録テーブルから取得する手段をさらに有し、
取得した前記熱交換機系統を先頭とする系統稼動順の前記系統稼動特性テーブルのみを比較対象として選択することが、好適である。
【発明の効果】
【００１８】
本発明によるホテル等における部屋割当支援装置は、ホテル等の備える複数の熱交換機系統の各々の受持ち部屋との関係を考慮して、可能な限り、停止できる熱交換機系統が多くなるように部屋割当を行うものである。これにより、省エネルギーを図ることができる。最も基本的な考え方は、１つの熱交換機系統の受持ち部屋の全てに部屋割当を行ってから、別の熱交換機系統の受持ち部屋に対する部屋割当を行う、という方式である。これにより、熱交換機系統を無駄なく稼動させることが可能となる。従来は、熱交換機系統とは無関係に部屋割当を行っていたため、１つの熱交換機系統の複数の受持ち部屋の中にまだ空室があるにも拘わらず、別の熱交換機系統の受持ち部屋に対する部屋割当が行われることが発生していた。このような従来の方式では、１つの熱交換機系統の稼動ですむところを、２つの熱交換機系統を稼動させることとなっていた。
さらに好適には、複数の熱交換機系統の各々の受持ち部屋の数が異なる（但しエネルギー使用量は同じ）場合は、受持ち部屋の数が多い熱交換機系統から部屋割当を行うことにより、いずれの使用室数（受持ち部屋数の累積数）においても、熱交換機系統の稼動数を最も少なくすることができる。
また、さらに好適には、複数の熱交換機系統の各々のエネルギー使用量が異なる（但し受持ち部屋数は同じ）場合は、エネルギー使用量の小さい熱交換機系統から部屋割当を行うことにより、いずれの使用室数（受持ち部屋数の累積数）においても、全エネルギー使用量を最も小さくすることができる。
【図面の簡単な説明】
【００１９】
【図１】図１（ａ）（ｂ）は、複数の熱交換機系統を備えたホテルの部屋割当において、本発明の部屋割当支援装置の基本形態を適用した状況の一例を模式的に示した図である。
【図２】図２は、本発明による部屋割当支援装置の基本形態を適用したシステム全体の概略構成図である。
【図３】図３（ａ）（ｂ）は、図１（ａ）に示したホテル構成例の場合における図２のデータベース構成の一例を示した図である。（ｃ）は（ｂ）のテーブルを分かり易くグラフ化したものである。
【図４】図４（ａ）（ｂ）は、図１（ｂ）に示したホテル構成例の場合における図２のデータベース構成の一例を示した図である。（ｃ）は（ｂ）のテーブルを分かり易くグラフ化したものである。
【図５】図５は、図２に示した部屋割当支援装置１の基本形態における熱交換機系統登録フローの一例を概略的に示した図である。
【図６】図６は、図２に示した部屋割当支援装置の基本形態における部屋割当支援情報決定フローの一例を概略的に示した図である。
【図７】図７は、本発明の部屋割当支援装置の一般形態を適用したホテルの部屋構成と熱交換機系統構成の一例を模式的に示した図である。
【図８】図８は、本発明による部屋割当支援装置の一般形態を適用したシステム全体の概略構成図である。
【図９】図９は、図８の熱交換機系統登録部の処理によりデータベースに格納される熱交換機系統登録テーブルの一例を示した図である。
【図１０】図１０は、図９のテーブルに関連して任意に設けられる総数量テーブルである。
【図１１】図１１は、図８の熱交換機系統順列算出部の処理によりデータベース５９に格納される系統稼動順の順列テーブルの一例を示した図である。
【図１２】図１２は、図８の系統稼動特性登録部の処理によりデータベース５９に格納される系統稼動順毎の系統稼動特性テーブルの一例を示した図である。
【図１３】図１３（ａ）（ｂ）は、図８のホテル予約情報取得部及び部屋割当支援情報決定部の処理によりデータベースに格納される部屋割当決定第１テーブル及び第２テーブルの一例を示した図である。
【図１４】図１４は、図８に示した部屋割当支援装置における熱交換機系統登録フローの一例を概略的に示した図である。
【図１５Ａ】図１５Ａは、図８に示した部屋割当支援装置における部屋割当支援情報決定フローの一例を概略的に示した図である。
【図１５Ｂ】図１５Ｂは、図１５Ａのフローの続きである。
【図１６】図１６は、一般形態の第１の例におけるホテル構成及び熱交換機系統構成を模式的に示した図である。
【図１７】図１７（ａ）は、第１の例において、図１２の系統稼動特性テーブルの１つを示したものである。（ｂ）は（ａ）をグラフ化したものである。
【図１８】図１８（ａ）は、第１の例において、図１２の系統稼動特性テーブルの別の１つを示したものである。（ｂ）は（ａ）をグラフ化したものである。
【図１９】図１９（ａ）は、第１の例において、図１２の系統稼動特性テーブルのさらに別の１つを示したものである。（ｂ）は（ａ）をグラフ化したものである。
【図２０】図２０は、一般形態の第２の例におけるホテル構成及び熱交換機系統構成を模式的に示した図である。
【図２１】図２０（ａ）は、第２の例において、図１２の系統稼動特性テーブルの１つを示したものである。（ｂ）は（ａ）をグラフ化したものである。
【図２２】図２１（ａ）は、第２の例において、図１２の系統稼動特性テーブルの別の１つを示したものである。（ｂ）は（ａ）をグラフ化したものである。
【図２３】図２３（ａ）は、第２の例において、図１２の系統稼動特性テーブルのさらに別の１つを示したものである。（ｂ）は（ａ）をグラフ化したものである。
【図２４】図２４（ａ）（ｂ）は、複数の熱交換機系統を備えたホテルにおける従来の部屋割当と熱交換機系統の稼動状況の関係を示した図である。
【発明を実施するための形態】
【００２０】
以下、図面を参照して本発明のホテル等における部屋割当支援装置の実施形態を説明する。なお、ホテルや旅館等の宿泊施設の典型例として、ホテルについて説明する。
【００２１】
（１）部屋割当支援装置の基本形態
（１−１）概要
本発明による部屋割当支援装置の基本形態の具体的構成を説明するに先立って、概要を説明する。
図１（ａ）（ｂ）は、複数の熱交換機系統を備えたホテルの部屋割当において、本発明の部屋割当支援装置の基本形態を適用した一例を模式的に示した図である。
【００２２】
図１（ａ）のホテルの部屋構成と熱交換機系統構成は、上述した図２４の従来例と同じである。斜線部分が部屋割当実行後の使用室である。使用室率（使用室数／全室数）は、図２４（ｂ）と同じ７５％である。この場合、１系統当たりの受持ち部屋数が多い熱交換機系統から部屋割当を行っている（受持ち部屋数が同じ場合はいずれからでもよい）。この結果、３階から５階までの全室と６階の５室が割り当てられ、７階は全室が空室となっている。これにより、熱交換機HP5、HP4、HP3及びHP2を稼動（ON）させる一方、熱交換機HP1は停止（OFF）させることができる。全エネルギー使用量は８kW／hであり、最大の８０％である。
【００２３】
図１（ｂ）のホテルの部屋構成と熱交換機系統構成は、３階から７階までの各階の部屋の数が１２室で同じであり、全室数６０室である。各階が１つの熱交換機系統となっており、３階から７階までの各階の熱交換機は、HP5'、HP4'、HP3'、HP2'及びHP1'である。この例では、５つの熱交換機系統にエネルギー使用量の異なるものが混在しており、HP5'、HP4'及びHP3'は２kw／hであり、HP2'及びHP1'は４kW／hである（これらのエネルギー使用量の数値自体は、説明のための例示である。以下同様）。全ての熱交換機系統が稼動したときの最大エネルギー使用量は、１４ｋW／hとなる。斜線部分が部屋割当実行後の使用室であり、使用室率は７５％である。この場合、１系統当たりのエネルギー使用量が小さい熱交換機系統から部屋割当を行っている（エネルギー使用量が同じ場合はいずれからでもよい）。この結果、３階から５階までの全室と６階の９室が割り当てられ、７階は全室が空室となっている。これにより、熱交換機HP5'、HP4'、HP3'及びHP2'を稼動（ON）させる一方、熱交換機HP1'は停止（ＯＦＦ）させることができる。全エネルギー使用量は１０kW／hであり、最大の７１％である。
【００２４】
図１（ａ）の例では、１系統当たりの受持ち部屋数が多い熱交換機系統から部屋割当を行い、図１（ｂ）の例では、１系統当たりのエネルギー使用量が小さい熱交換機系統から部屋割当を行っている。このように、１系統当たりの受持ち部屋数又はエネルギー使用量を考慮して部屋割当を行う熱交換機系統の順序を決定することが、好適である。
【００２５】
但し、各熱交換機系統の受持ち部屋数が多い順又はエネルギー使用量が小さい順に部屋割当を行うのではなく、任意の１つの熱交換機系統の受持ち部屋全てに割り当てた後に、別の任意の１つの熱交換機系統の受持ち部屋に割り当て始める、という方式で部屋割当を行ったとしても、上述した図２４の従来例に比べれば、省エネルギーを実現できる。図２４の従来例では、１つの熱交換機系統の受持ち部屋全てに割り当てる前に（すなわち空室を残したまま）、別の熱交換機系統の受持ち部屋に割り当てを行うことが発生するので、無駄に熱交換機系統を稼動させることになる。従来例では、熱交換機系統を全く意識せずに部屋割当を行っているからである。本発明では、例えば図１（ｂ）の例において、逆に７階から下方に順に部屋割当を行ったとしても、３階は全室が空室となるので熱交換機HP5'を停止できる。これが、本発明の最も基本的な特徴である。
【００２６】
なお、図１（ａ）（ｂ）の例のように、１つの階の全室が１つの熱交換機系統の受持ち部屋となっている必要はなく、１つの熱交換機系統の複数の受持ち部屋の場所は、ホテル内にどのように配置されていてもよい。
【００２７】
（１−２）装置の全体構成図
図２は、本発明による部屋割当支援装置の基本形態を適用したシステム全体の概略構成図である。
部屋割当支援装置１は、ホテル予約システム２及び熱交換機制御システム３と連携して動作する。このために、適宜の通信手段（ＬＡＮ等）で接続されているものとする。
【００２８】
ホテル予約システム２は、公知の一般的なシステムであり、部屋割当を行う当日の予約情報を保有している。予約情報には、少なくとも当日必要な部屋数（予約室数）が含まれる。部屋割当支援装置１は、ホテル予約システム２から予約情報を取得するとともに、ホテル予約システム２に対して部屋割当支援情報を提供する。
【００２９】
熱交換機制御システム３は、公知の一般的なシステムであり、複数の熱交換機系統の各々の稼動及び停止を直接制御する集中管理システムである。部屋割当支援装置１は、部屋割当支援情報の前提として決定される熱交換機系統毎の稼動又は停止の情報を、熱交換機制御システム３に対して提供する。
【００３０】
部屋割当支援装置１は、適宜のコンピュータシステムとして実施可能である。部屋割当支援処理部１０は、本装置の機能を実現するプログラムを導入されたコンピュータであり、そのＣＰＵがプログラムをメモリに読み込み、処理を実行することにより、コンピュータが本装置として機能する。部屋割当支援処理部１０には、ユーザが処理状況やデータベース１９の内容を画面表示にて確認したり必要な入力を行ったりするための管理端末１８が接続されている。また、部屋割当支援処理部１０には、関連する種々のデータを格納するデータベース１９が接続されている。
【００３１】
部屋割当支援処理部１０は、各機能の担当処理部として、熱交換機系統登録部１２、系統稼動特性登録部１３、ホテル予約情報取得部１４、部屋割当支援情報決定部１５、部屋割当支援情報送信部１６、熱交換機稼働停止指示部１７を備えている。
【００３２】
熱交換機系統登録部１２は、各熱交換機系統の受持ち部屋の数及び場所、並びに、各熱交換機系統のエネルギー使用量など、各熱交換機系統に関する情報をデータベース１９に予め登録する。
系統稼動特性登録部１３は、全ての熱交換機系統を停止させた状態（全停止状態）から順次稼働させて全ての熱交換機系統を稼働させた状態（全稼動状態）までの系統稼働順と、全停止状態から全稼動状態までの使用室数及びエネルギー使用量累積値の変化の情報とをデータベース１９に予め登録する。
ホテル予約情報取得部１４は、ホテル予約システム２から予約情報を取得する。
部屋割当支援情報決定部１５は、データベース１９に格納された情報及び予約情報を基に、どの熱交換機系統の受持ち部屋が割当可能な部屋であるかを決定する。決定された情報が部屋割当支援情報となる。
部屋割当支援情報送信部１６は、決定された部屋割当支援情報をホテル予約システム２に送信する。
熱交換機稼働停止指示部１７は、部屋割当支援情報の前提として決定される熱交換機系統毎の稼動又は停止の情報を熱交換機制御システム３に対して送信する。
【００３３】
（１−３）データベース構成
図３（ａ）（ｂ）は、図１（ａ）に示したホテル構成及び熱交換機系統構成の場合における図２のデータベース１９の構成の一例を示した図である。（ｃ）は（ｂ）のテーブルを分かり易くグラフ化したものである。
【００３４】
図３（ａ）は、図２の熱交換機系統登録部１２の処理によりデータベース１９に格納される熱交換機系統登録テーブル３０１の一例を示している。データ項目として、各熱交換機系統を識別する名称である「系統名称（ここでは熱交換機名称を系統名称として用いている）」、各熱交換機系統が受け持つ部屋の数である「受持ち部屋数」、受持ち部屋の場所を示す「受持ち部屋の場所」及び各熱交換機系統の「エネルギー使用量(kW／h)」を有する。
【００３５】
図３（ｂ）は、図２の系統稼動特性登録部１３の処理によりデータベース１９に格納される系統稼動特性テーブル３０２の一例を示している。
１行目に熱交換機系統の「系統稼動順」が格納される。基本形態では、この系統稼動順は予め決定されているものとする（例えばユーザ入力による）。
２行目の「使用室数」は、この系統稼動順に従って全停止状態から全稼動状態まで各熱交換機系統を順次稼動させたときの受持ち部屋を累積した使用室数を示す。
３、４行目の「使用室率（％）」と「空室率（％）」は、２行目の使用室数の全室数に対する割合から算出されたものである。「使用室率（％）」と「空室率（％）」の和は１００％である。
５、６行目の「稼動系統数」と「停止系統数」は、この系統稼動順に従って全停止状態から全稼動状態まで各熱交換機系統を順次稼動させたときの稼動させる系統数と停止させる系統数である。「稼動系統数」と「停止系統数」の和は常に熱交換機系統の全数（ここでは５系統）となる。
７行目の「エネルギー使用量累積値（kW／h）」は、この系統稼動順に従って全停止状態から全稼動状態まで各熱交換機系統を順次稼動させたときの、各熱交換機系統の使用エネルギーを累積した値である。
【００３６】
図３（ｃ）は、図３（ｂ）の系統稼動特性テーブル３０２をグラフ化したものである。横軸は使用室率（％）としている。左縦軸は熱交換機の稼働系統数であり、右縦軸はエネルギー使用量累積値（kW／h）である。例として、使用室率７５％の場合を点線で示している。
【００３７】
図４（ａ）（ｂ）（ｃ）は、図３（ａ）（ｂ）（ｃ）と同様の図であり、図１（ｂ）に示したホテル構成及び熱交換機系統構成の場合におけるものである。図４（ａ）は、図２の熱交換機系統登録部１２の処理によりデータベース１９に格納される熱交換機系統登録テーブル４０１の一例を示している。図４（ｂ）は、図２の系統稼動特性登録部１３の処理によりデータベース１９に格納される系統稼動特性テーブル４０２の一例を示している。図４（ｃ）は、図４（ｂ）の系統稼動特性テーブル４０２をグラフ化したものである。
【００３８】
（１−４）処理フロー
図５は、図２に示した部屋割当支援装置１における熱交換機系統登録フローの一例を概略的に示した図である。以下では、図１（ａ）のホテル構成及び熱交換機系統構成の場合について説明する。
【００３９】
この熱交換機系統登録フローは、部屋割当支援情報決定フローに先立って予め実行される。先ず、管理端末１８からホテルにおける複数の熱交換機系統の各々の情報を入力される。情報は、各熱交換機系統の受け持つ部屋の数及び場所と、各熱交換機系統のエネルギー使用量とを少なくとも含む（ステップＳ１１）。
【００４０】
入力された熱交換機系統の情報を、図３（ａ）に例示した熱交換機系統登録テーブル３０１に登録する（ステップＳ１２）。
【００４１】
次に、複数の熱交換機系統の系統稼働順を決定する。例えば、管理端末１８に系統稼働順の決定方法を選択させる画面を表示する（ステップＳ１３）。決定方法の選択肢の１つは、系統稼働順をユーザが管理端末から入力する方法である（ステップＳ１４）。ユーザが決定する場合は、受持ち部屋の場所や優劣等の他の条件により決定する。別の選択肢としては、受持ち部屋の数の多い熱交換機系統から順に稼働するように自動的に系統稼働順を決定する（ステップＳ１５）。受持ち部屋の数が同じ複数の熱交換機系統については、任意に順序を決定してもよく、あるいは、ユーザが他の条件を基に管理端末から入力してもよい。さらに別の選択肢としては、エネルギー使用量の小さい熱交換機系統から順に稼働するように自動的に系統稼働順を決定する（ステップＳ１６）。エネルギー使用量が同じ複数の熱交換機系統については、任意に順序を決定してもよく、あるいは、ユーザが他の条件を基に管理端末１８から入力してもよい。
【００４２】
系統稼働順が決定したならば、当該系統稼働順に従って各熱交換機系統を順次稼働させていくときの、各熱交換機系統の受け持つ部屋の数を累積した使用室数と、エネルギー使用量を累積したエネルギー使用量累積値とを、図３（ｂ）の系統稼働特性テーブル３０２に登録する。なお、基本形態の部屋割当支援装置１では、エネルギー使用量累積値は利用しないので、登録は任意である。
【００４３】
図６は、図２に示した部屋割当支援装置１における部屋割当支援情報決定フローの一例を概略的に示した図である。以下では、図１（ａ）のホテル構成及び熱交換機系統構成の場合について説明する。
【００４４】
先ず、ホテル予約システム２から、部屋割当を行う対象日の予約情報を取得する（ステップＳ２１）。予約情報には、少なくとも予約室数が含まれている。
【００４５】
次に、図３（ｂ）の系統稼働特性テーブルを参照し、予約室数に該当する使用室数を検出し、検出した使用室数における稼働系統及び停止系統を決定する（ステップＳ２２）。例えば図３（ｂ）の系統稼働特性テーブルを参照した場合、予約室数が４５室のときは第４列目の使用室数４１〜５０の範囲内に該当するので、この第４列目の使用室数が検出される。第４列目の状態では、熱交換機HP5、HP4、HP3及びHP2の４つの熱交換機系統を稼働させ、熱交換機HP1の１つの熱交換機系統が停止させている。
【００４６】
続いて、熱交換機HP5、HP4、HP3及びHP2の４つの熱交換機系統を稼働させかつ熱交換機HP1の１つの熱交換機系統が停止させる内容の指示情報を、熱交換機制御システム３へ送信する（Ｓ２３）。熱交換機制御システム３は、指示情報に従って各熱交換機系統の稼働と停止を制御する。
【００４７】
さらに、稼働系統である熱交換機HP5、HP4、HP3及びHP2の４つの熱交換機系統の各々の受持ち部屋の場所を、図３（ａ）の熱交換機系統登録テーブル３０１から取得する。取得した受持ち部屋の場所（例えば３階〜６階）が、割当可能な部屋の場所である。この割当可能な部屋の場所の情報が、部屋割当支援情報である。決定した部屋割当支援情報を、ホテル予約システムに送信する（ステップＳ２４）。ホテル予約システムは、例えば、宿泊客がチェックインした際に、部屋割当支援情報の割当可能な部屋の中から部屋を割り当てる。
【００４８】
（２）部屋割当支援装置の一般形態
（２−１）概要
上述した部屋割当支援装置の基本形態は、さらに一般的な形態に拡張することができる。一般形態では、複数の熱交換機系統の各々が、多様な受持ち部屋数及びエネルギー使用量をもっていることを想定する。例えば、受持ち部屋数が多くかつエネルギー使用量も大きい熱交換機系統、及び、受持ち部屋数が少なくかつエネルギー使用量も小さい熱交換機系統の他に、受持ち部屋数が多いがエネルギー使用量の小さい熱交換機系統、逆に、受持ち部屋数が少ないがエネルギー使用量の大きい熱交換機系統が混在している場合が考えられる。このように多様なタイプの熱交換機系統が多数混在すると、省エネルギーを考慮した系統稼働順の決定が難しくなる。本発明の一般形態は、このような場合にも省エネルギーを考慮した部屋割当支援情報を合理的に決定することを可能としたものである。
【００４９】
図７は、本発明の部屋割当支援装置の一般形態を適用したホテルの部屋構成と熱交換機系統構成の一例を模式的に示した図である。最上階を含む５階層の各階の熱交換機系統A1、A2、A3、A4及びA5は、それぞれ受持ち部屋数が８室かつエネルギー使用量が２kW／hであり、Ａ系統群を構成する。その下の２階層の各階の熱交換機系統B1及びB2は、それぞれ受持ち部屋数が１０室かつエネルギー使用量が２kW／hであり、B系統群を構成する。その下の３階層の各階の熱交換機系統C1、C2及びC3は、それぞれ受持ち部屋数が１０室かつエネルギー使用量が４kW／hであり、Ｃ系統群を構成する。その下の５階層の各階の熱交換機系統D1、D2、D3、D4及びD5は、それぞれ受持ち部屋数が１４室かつエネルギー使用量が３kW／hであり、Ｄ系統群を構成する。さらにその下にも複数の階層（すなわち複数の熱交換機系統）が存在すると想定している。
【００５０】
一般形態では、先ず、ホテルに備わる複数の熱交換機系統のうち、１系統当たりの受持ち部屋の数及びエネルギー使用量の双方が同一であるものを１つの系統群として、複数の熱交換系統を１又は複数の系統群に区分する。なお、１つの系統群に属する各熱交換機系統は、図７の例のように連続する階層となっている必要はなく、例えば１つの系統群に属する各系統の階層が点在していてもよく、また１つの階層に２つの系統群に属する系統が混在していてもよい。
【００５１】
（２−２）装置の全体構成図
図８は、本発明による部屋割当支援装置の一般形態を適用したシステム全体の概略構成図である。
部屋割当支援装置５は、図２の基本形態の装置と同様のホテル予約システム２及び熱交換機制御システム３と連携して動作する。
【００５２】
部屋割当支援装置５は、適宜のコンピュータシステムとして実施可能である。部屋割当支援処理部５０は、本装置の機能を実現するプログラムを導入されたコンピュータであり、そのＣＰＵがプログラムをメモリに読み込み、処理を実行することにより、コンピュータが本装置として機能する。部屋割当支援処理部５０には、ユーザが処理状況やデータベース５９の内容を画面表示にて確認し、必要な入力を行うための管理端末５８が接続されている。また、部屋割当支援処理部５０には、関連する種々のデータを格納するデータベース５９が接続されている。
【００５３】
部屋割当支援処理部５０は、各機能の担当処理部として、熱交換機系統登録部５１、熱交換機系統順列算出部５２、熱交換機系統の系統稼動順毎の系統稼動特性登録部５３、ホテル予約情報取得部５４、部屋割当支援情報決定部５５、部屋割当支援情報送信部５６、熱交換機稼働停止指示部５７を備えている。
【００５４】
熱交換機系統登録部５１は、複数の熱交換機系統を１又は複数の系統群に区分した上で、各系統群毎に、各熱交換機系統の受持ち部屋の数及び場所、並びに、各熱交換機系統のエネルギー使用量など、各系統群及び各熱交換機系統に関する情報をデータベース５９に予め登録する。
【００５５】
熱交換機系統順列算出部５２は、複数の熱交換機系統の全停止状態から順次稼働させて全稼動状態とするまでの系統稼働順の全ての順列を求める処理を行う。この順列を求める際には、１つの系統群に含まれる複数の熱交換機系統については区別せずに同じものとして扱って求める。いわゆる「同じ要素を含む順列」である。
【００５６】
系統稼動特性登録部５３は、熱交換機系統順列算出部５２により算出された系統稼働順の各々について、当該系統稼動順と、全停止状態から全稼動状態までの使用室数及びエネルギー使用量累積値の変化の情報とをデータベース５９に予め登録する。
【００５７】
ホテル予約情報取得部５４は、ホテル予約システム２から予約情報を取得する。
【００５８】
部屋割当支援情報決定部５５は、データベース５９に格納された情報及び予約情報を基に、どの熱交換機系統の受持ち部屋が割当可能な部屋であるかを決定する。決定された情報が部屋割当支援情報となる。
【００５９】
部屋割当支援情報送信部５６は、決定された部屋割当支援情報をホテル予約システム２に送信する。
【００６０】
熱交換機稼働停止指示部５７は、部屋割当支援情報の前提として決定される熱交換機系統毎の稼動又は停止の情報を熱交換機制御システム３に対して送信する。
【００６１】
（２−３）データベース構成
図９〜図１３は、図７に示した一般形態のホテル構成及び熱交換機系統構成における図８のデータベース５９の構成の一例を示した図である。
【００６２】
図９は、図８の熱交換機系統登録部５１の処理によりデータベース５９に格納される熱交換機系統登録テーブル９０１の一例を示した図である。データ項目として、各系統群を識別する名称である「系統群名称」、当該系統群に含まれる熱交換機系統の数である「系統群に含まれる系統数」、当該系統群に含まれる各熱交換機系統の受持ち部屋の数である「各系統の受持ち部屋数」、当該系統群に含まれる各熱交換機系統のエネルギー使用量である「エネルギー使用量(kW／h」、当該系統群に含まれる各熱交換機系統を識別する「系統名称」及び各熱交換機系統の受持ち部屋の場所を示す「各系統の受持ち部屋の場所」を有する。
【００６３】
なお、図９のテーブル中、「系統群に含まれる系統数」のデータＡＮ、ＢＮ、ＣＮ、ＤＮ、「各系統の受持ち部屋数」のデータＡＲ、ＢＲ、ＣＲ、ＤＲ、「エネルギー使用量(kW／h」のデータＡＷ、ＢＷ、ＣＷ、ＤＷはそれぞれ変数であり、実際には具体的な数値が格納されるものである。
【００６４】
図１０は、図９のテーブルに関連して任意に設けられる総数量テーブル１００である。データ項目「熱交換機系統の総数ＴＮ」には、熱交換機系統の数の総和ＡＮ＋ＢＮ＋ＣＮ＋．．．が格納される。データ項目「全室数ＴＲ」には、熱交換機系統の受持ち部屋の数の総和ＡＲ×ＡＮ＋ＢＲ×ＢＮ＋ＣＲ×ＣＮ＋...が格納される。データ項目「最大エネルギー使用量ＴＷ」には、エネルギー使用量の最大量（全稼動状態）ＡＷ×ＡＮ＋ＢＷ×ＢＮ＋ＣＷ×ＣＮ＋...が格納される。
【００６５】
図１１は、図８の熱交換機系統順列算出部５２の処理によりデータベース５９に格納される系統稼動順の順列テーブル１１０の一例を示した図である。熱交換機系統の総数はＴＮであるので、通常の順列の総数はTNＰTN通りである。しかし、ここでは、１つの系統群に含まれる熱交換機系統は区別しない。例えば、Ａ群に含まれるA1、...Anは同じものとして扱う。従って、この場合の熱交換機系統の順列の総数は、
TNＣAN×TN−ANＣBN×TN−AN−BNＣCN×・・・通りである。
例えば、熱交換機系統の総数ＴＮが６系統であってＡ群が３系統、Ｂ群が２系統、Ｃ群が１系統の場合、全ての熱交換機系統の順列は、６Ｃ３×３Ｃ２×１Ｃ１＝６０通りとなる。そして、１つの順列が、全停止状態から全稼動状態まで熱交換機系統を順次稼動していく１つの系統稼動順に対応する。
【００６６】
図１１の順列テーブル１１０は、データ項目として、各順列を識別する「順列番号」、順列（系統稼動順）の具体的配列である「順列（系統稼動順）」、当該順列を比較対象として選択するか否かを示す「選択／非選択フラグ」を有する。
【００６７】
なお、１つの系統群に含まれる熱交換機系統は同じものとして区別しないので、図１１ではこれをA＊、B＊のように"＊"で表している。例えば、A＊は、A1〜Anのうちのいずれでもよいという意味である。但し、当然であるが、１つの順列の中に重複（例えばA1が２つある等）はない。
【００６８】
「選択／非選択フラグ」は任意に設けたものである。順列の算出では、非常に多数の順列が算出される場合がある。従って、算出された順列の中には、種々の事情から絶対に採用されない順列も含まれることがある。例えば、Ｂ群の熱交換機系統の受持ち部屋については、部屋の条件からして優先的に部屋割り当てすることはない、という事情などである。その場合、１又は複数のB＊が先頭にある順列については、「選択／非選択フラグ」をＯＦＦとすることにより、比較対象から外されることになる。
【００６９】
図１２は、図８の系統稼動特性登録部５３の処理によりデータベース５９に格納される系統稼動順毎の系統稼動特性テーブル１２０の一例を示した図である。図１２の系統稼動特性テーブル１２０は、基本的には図１１の順列テーブルに含まれる全ての順列（系統稼動順）について作成される。なお、「選択／非選択フラグ」がＯＦＦとされたものについては作成しなくてもよいが、事情が変わり「選択／非選択フラグ」がＯＮとされた場合は系統稼動特性テーブル１２０を作成する。
【００７０】
１行目には、図１１の順列テーブル１１０の１つの順列に対応する「系統稼動順」が格納される。
２行目の「使用室数」は、この系統稼動順に従って全停止状態から全稼動状態まで各熱交換機系統を順次稼動させたときの受持ち部屋を累積した使用室数を示す。
３、４行目の「使用室率（％）」と「空室率（％）」は２行目の使用室数と全室数から算出されたものである。
５、６行目はＡ群についての、７、８行目はＢ群についての、９、１０行目はＣ群についての、それぞれ「稼動系統数」と「停止系統数」が格納される。これらの数値は、この系統稼動順に従って全停止状態から全稼動状態まで各熱交換機系統を順次稼動させたときの、各系統群における稼動させる系統数と停止させる系統数である。各系統群の「稼動系統数」と「停止系統数」の和は、常に各系統群に含まれる系統数ＡＮ、ＢＮ、ＣＮ等となる。
７行目の「エネルギー使用量累積値（kW／h）」は、この系統稼動順に従って全停止状態から全稼動状態まで各熱交換機系統を順次稼動させたときの、各熱交換機系統のエネルギー使用量を累積した値である。
【００７１】
図１３（ａ）（ｂ）は、図８のホテル予約情報取得部５４及び部屋割当支援情報決定部５５の処理によりデータベース５９に格納される部屋割当決定第１テーブル１３０及び第２テーブル１３１の一例を示す図である。
【００７２】
図１３（ａ）の部屋割当決定第１テーブル１３０は、データ項目として、部屋割当を行う日を示す「日付」、ホテル予約システムから取得した予約情報に含まれる「予約室数」、予約室数と全室数から算出した「予約室数率（％）」、予約情報に含まれる指定室情報（指定室が有る場合、その部屋の場所）を示す「指定室情報」、指定室情報を基に図９の熱交換機系統登録テーブル９０１から取得した「指定室の系統」、図１１の順列テーブル１１０の選択／非選択フラグがＯＮの順列番号から比較対象として抽出した「比較対象順列番号」、最終的に決定した系統稼動順の順列を示す「決定順列番号」を有する（以下の図１５Ａ、図１５Ｂで説明）。
【００７３】
「指定室情報」には、例えば予約客が特定の部屋を希望した場合などに"指定室あり"の旨に加え、当該指定室の場所を示す"１６階"等のデータが格納される。なお、指定室は１つの部屋が指定されるとは限らず、特定の階層又はその一部が指定される場合もある。指定室の指定がない場合は"指定室なし"のデータが格納される。指定室が指定された場合、「指定室の系統」には、当該指定室を受持ち部屋とする熱交換機系統を図９の熱交換機系統登録テーブル９０１から取得して格納する。
【００７４】
図１３（ｂ）の部屋割当決定第２テーブル１３１は、部屋割当を行う日毎に作成される。部屋割当決定第２テーブル１３１は、部屋割当決定第１テーブル１３０の全てのデータ項目にデータが入力された後に作成される。
【００７５】
部屋割当決定第２テーブル１３１は、データ項目として、各系統群を識別する「系統群名称」、「停止系統数」、「選択された停止系統」を有する。「停止系統数」には、部屋割当第１テーブル１３０の「決定順列番号」で特定される系統稼動順にて、「予約室数」に該当する使用室数における各系統群の停止させる系統数を格納する。その際には、図１２の系統稼動特性テーブルを参照する。そして、「停止系統数」に相当する数の系統を各系統群からユーザが選択したものを「選択された停止系統」に格納する（以下の図１５Ａ、図１５Ｂで説明）。
【００７６】
さらに部屋割当決定第２テーブル１３１は、データ項目として、「稼動系統数」、「選択された稼動系統」、「受持ち部屋の場所」を有する。「稼動系統数」には、上記の「停止系統数」と同様にして取得した各系統群の稼動させる系統数を格納する。そして、「稼動系統数」に相当する数の系統を各系統群からユーザが選択したものを「選択された稼動系統」に格納する（以下の図１５Ａ、図１５Ｂで説明）。「受持ち部屋の場所」は、「選択された稼動系統」に基づいて図９の熱交換機系統登録テーブル９０１から取得して格納する。
【００７７】
（２−４）処理フロー
図１４は、図８に示した部屋割当支援装置５における熱交換機系統登録フローの一例を概略的に示した図である。
【００７８】
この熱交換機系統登録フローは、部屋割当支援情報決定フローに先立って予め実行される。先ず、管理端末５８からホテルにおける複数の熱交換機系統の各々の情報を入力される。情報は、各熱交換機系統の受け持つ部屋の数及び場所と、各熱交換機系統のエネルギー使用量とを少なくとも含む（ステップＳ３１）。
【００７９】
入力された熱交換機系統の情報に基づいて、受持ち部屋の数とエネルギー使用量とが同じ１又は複数の系統を１つの系統群として、１又は複数の系統群に区分する。各系統群の区分に基づいて、図９に例示した熱交換機系統登録テーブル９０１に登録する（ステップＳ３２）。
【００８０】
次に、１つの系統群に含まれる熱交換機系統を同じものとして扱い、全ての熱交換機系統の系統稼動順の順列を求める。得られた全ての順列を、図１１の系統稼動順の順列テーブル１１０に登録する（ステップＳ３３）。
【００８１】
続いて、管理端末５８の表示画面に図１１の系統稼動順の順列テーブル１１０を表示し、比較対象とする系統稼動順を選択するか否かをユーザに尋ねる（ステップＳ３４）。ユーザが比較対象とする系統稼動順を選択しない場合は、図１１の順列テーブル１１０の選択/非選択フラグを全てＯＮとする（ステップＳ３５）。つまり、全ての系統稼動順が比較対象となる。一方、ユーザが比較対象とする系統稼動順を選択する場合は、比較対象とする系統稼動順を表示画面上で選択させる。選択された系統稼動順については、図１１の順列テーブル１１０の選択／非選択フラグをＯＮとし、それ以外をＯＦＦとする（ステップＳ３６）。
【００８２】
次に、系統稼動順に従って全停止状態から各熱交換機系統を順次稼動させていき全稼動状態とするまでの、各熱交換機系統の受持ち部屋数を累積した使用室数と、各熱交換機系統のエネルギー使用量を累積したエネルギー使用量累積値とを、図１２の系統稼動順毎の系統稼動特性テーブル１２０に登録する（ステップＳ３７）。なお、一般形態の部屋割当支援装置５では、エネルギー使用量累積値を利用するので、登録は必須である。
【００８３】
図１５Ａ及び図１５Ｂは、図８に示した部屋割当支援装置５における部屋割当支援情報決定フローの一例を概略的に示した図である。
【００８４】
先ず、ホテル予約システム２から、部屋割当を行う対象日の予約情報を取得する（ステップＳ４１）。予約情報には、少なくとも予約室数が含まれ、指定室情報が含まれる場合もある。取得した予約情報を、図１３の部屋割当決定第１テーブルに格納する。
【００８５】
次に、取得した予約情報に指定室情報が含まれるか否かを判断する（ステップＳ４２）。指定室が有る場合には、図９の熱交換機系統登録テーブル９０１を参照して、指定室を受持ち部屋として含む系統を特定する。続いて、図１１の順列テーブル１１０を参照して、指定室を受持ち部屋として含む系統を先頭とする系統稼動順の選択／非選択フラグがＯＦＦとなっている場合は、ＯＮとする（ステップＳ４３）。確実とするためには、それ以外の系統稼動順をＯＦＦとすることが好ましい。これは、指定室を含む系統は必ず部屋割当の対象としなければならないので、優先的に稼動させる系統に位置付けるためである。
【００８６】
続いて、管理端末５８の表示画面上に、現時点における図１１の順列テーブル１１０を確認のために表示する（ステップＳ４４）。そしてユーザに対して、比較対象の系統稼動順の選択を変更するか否かを尋ねる（ステップＳ４５）。ユーザが必要に応じて比較対象の系統稼動順の選択を変更したい場合は、図１１の順列テーブル１１０の選択／非選択フラグを変更する（ステップＳ４６）。
【００８７】
その後、図１１の順列テーブル１１０の選択／非選択フラグがＯＮとなっている全ての系統稼動順の順列番号を、図１３の部屋割当決定第１テーブル１３０の「比較対象順列番号」に格納する。この時点で、図１３の部屋割当決定第１テーブル１３０には、「決定順列番号」以外のデータ項目のデータが格納されている。
【００８８】
次に、図１２の各系統稼動順の系統稼動特性テーブル１２０のうち、「比較対象順列番号」に格納された順列番号に対応する系統稼動順の系統稼動特性テーブルを全て抽出する。抽出した各系統稼動特性テーブルから、予約室数に該当する使用室数におけるエネルギー使用量累積値をそれぞれ取得する（ステップＳ４７）。
【００８９】
取得したエネルギー使用量累積値を比較し、最小値となる１又は複数の系統稼動順を抽出し、管理端末５８の表示画面上に表示する（ステップＳ４８）。
【００９０】
複数の系統稼動順が抽出された場合は、ユーザがそれらの中から部屋割当において採用する１つの系統稼動順を決定する（ステップＳ４９）。このユーザによる決定は、省エネルギー以外の観点、例えばホテルの事情や部屋の条件等から行われる。
【００９１】
決定された１つの系統稼動順の使用室数における各系統群の稼動系統数及び停止系統数を系統稼動特性テーブル１２０から取得し、図１３の部屋割当決定第２テーブル１３１に格納するとともに、管理端末５８に表示する（ステップＳ５０）。この際、各系統群に含まれる系統も併せて表示する。ユーザは、各系統群毎に稼動系統及び停止系統を選択する必要がある場合は、選択する（ステップＳ５１）。例えば、その系統群の全ての系統を稼動又は停止する場合は選択する必要がないが、一部を稼働又は停止させる場合はどの系統を稼動又は停止させるかを選択しなければならない。このユーザによる決定は、省エネルギー以外の観点、例えばホテルの事情や部屋の条件等から行われる。なお、１つの系統群において稼動させる系統を決定した場合は、自動的に停止させる系統も決定される。逆も同様である。ユーザにより決定された稼動系統及び停止系統は、図１３の部屋割当第２テーブル１３１に格納される。
【００９２】
上述した通り決定された稼動系統及び停止系統の情報は、指示情報として部屋割当支援装置５から熱交換機制御システム３に送信される（ステップＳ５２）。
【００９３】
また、上述した通り決定された稼動系統及び停止系統に基づいて、図９の熱交換機系統登録テーブル９０１を参照し、稼動系統の受持ち部屋の場所を取得し、割当可能な部屋の情報として部屋割当支援装置５からホテル予約システム２に送信する（ステップＳ５３）。
【００９４】
（２−５）一般形態例（１）
上述した部屋割当支援装置の一般形態を理解し易くするために、簡易なホテル構成及び熱交換機系統構成に適用した例を幾つか示すこととする。
図１６〜図１９は、図８の部屋割当支援装置５を適用した一般形態例（１）に関する。
図１６は、一般形態例（１）におけるホテル構成及び熱交換機系統構成を模式的に示した図である。この例の熱交換機系統は、以下の２つの系統群に区分される。
・Ａ群（５系統）：１系統当たりの受持ち部屋数１０室
１系統当たりのエネルギー使用量２kW／h
・Ｂ群（４系統）：１系統当たりの受持ち部屋数１４室
１系統当たりのエネルギー使用量２kW／h
【００９５】
一般形態例（１）では、全ての系統のエネルギー使用量が同じであるから、前述した基本形態のように受持ち部屋数の多い系統から稼動させていく系統稼動順に沿った部屋割当を行うことが、省エネルギーの観点からは最も有利である。しかしながら、最も有利な系統稼動順が常に採用できるとは限らない。例えば、指定室が有る場合などである。そこで、一般形態を適用する。
【００９６】
図１７（ａ）は、一般形態例（１）において、図１２の系統稼動特性テーブル１２０の１つを示したものである。（ｂ）は（ａ）をグラフ化したものである。
この系統稼動順B＊、Ｂ＊、B＊、Ｂ＊、Ａ＊、Ａ＊、Ａ＊、Ａ＊、Ａ＊は、第１の例で最も有利な系統稼動順である。すなわち、いずれの使用室数においても、他の系統稼動順に比べて同等か又は有利（エネルギー使用量累積値が小さい）となる。
使用室数とエネルギー使用量累積値の関係を、２例挙げると次のようになる。
・使用室数２５室（使用室率２４％）の場合：エネルギー使用量累積値４kW／h
・使用室数８０室（使用室率７５％）の場合：エネルギー使用量累積値１４kW／h
【００９７】
図１８（ａ）は、一般形態例（１）において、図１２の系統稼動特性テーブル１２０の別の１つを示したものである。（ｂ）は（ａ）をグラフ化したものである。
使用室数とエネルギー使用量累積値の関係を、２例挙げると次のようになる。
・使用室数２５室（使用室率２４％）の場合：エネルギー使用量累積値６kW／h
・使用室数８０室（使用室率７５％）の場合：エネルギー使用量累積値１４kW／h
【００９８】
図１９（ａ）は、一般形態例（１）において、図１２の系統稼動特性テーブル１２０のさらに別の１つを示したものである。（ｂ）は（ａ）をグラフ化したものである。
使用室数とエネルギー使用量累積値の関係を、２例挙げると次のようになる。
・使用室数２５室（使用室率２４％）の場合：エネルギー使用量累積値４kW／h
・使用室数８０室（使用室率７５％）の場合：エネルギー使用量累積値１６kW／h
【００９９】
図１７〜図１９の各系統稼動順のエネルギー使用量累積値を比較すると、図１７の系統稼動順は、いずれの場合も他の系統稼動順よりエネルギー使用量累積値が同じか又は小さくなる。しかし、種々の事情で図１７の系統稼動順を採用できない場合、他の系統稼動順の中からエネルギー使用量累積値の最も小さいものを見出すために比較する。例えば、図１８と図１９のいずれの系統稼動順が省エネルギーであるかを比較してみる。そうすると、使用室数２５室の場合は、図１９の系統稼動順の方がエネルギー使用量累積値が小さいが、使用室数８０室の場合は、図１８の系統稼動順の方がエネルギー使用量累積値が小さくなる。このように、使用室数によって有利な系統稼動順が入れ替わる場合があることが理解できる。
【０１００】
（２−６）一般形態例（２）
図２０〜図２３は、図８の部屋割当支援装置５を適用した一般形態例（２）に関する。
図２０は、一般形態例（２）におけるホテル構成及び熱交換機系統構成を模式的に示した図である。この例の熱交換機系統は、以下の２つの系統群に区分される。
・Ｃ群（５系統）：１系統当たりの受持ち部屋数１０室
１系統当たりのエネルギー使用量２kW／h
・Ｄ群（４系統）：１系統当たりの受持ち部屋数１０室
１系統当たりのエネルギー使用量４kW／h
【０１０１】
一般形態例（２）では、全ての系統の受持ち部屋数が同じであるから、前述した基本形態のようにエネルギー使用量の小さい系統から稼動させていく系統稼動順に沿った部屋割当を行うことが、省エネルギーの観点からは最も有利である。しかしながら、最も有利な系統稼動順が常に採用できるとは限らない。例えば、指定室が有る場合などである。そこで、一般形態を適用する。
【０１０２】
図２１（ａ）は、一般形態例（２）において、図１２の系統稼動特性テーブル１２０の１つを示したものである。（ｂ）は（ａ）をグラフ化したものである。
この系統稼動順C＊、C＊、C＊、C＊、C＊、D＊、D＊、D＊、D＊は、第２の例で最も有利な系統稼動順である。すなわち、いずれの使用室数においても、他の系統稼動順に比べて同等か又は有利（エネルギー使用量累積値が小さい）となる。
使用室数とエネルギー使用量累積値の関係を、２例挙げると次のようになる。
・使用室数２５室（使用室率２８％）の場合：エネルギー使用量累積値６kW／h
・使用室数６８室（使用室率７６％）の場合：エネルギー使用量累積値１８kW／h
【０１０３】
図２２（ａ）は、一般形態例（２）において、図１２の系統稼動特性テーブル１２０の別の１つを示したものである。（ｂ）は（ａ）をグラフ化したものである。
使用室数とエネルギー使用量累積値の関係を、２例挙げると次のようになる。
・使用室数２５室（使用室率２８％）の場合：エネルギー使用量累積値８kW／h
・使用室数６８室（使用室率７６％）の場合：エネルギー使用量累積値２２kW／h
【０１０４】
図２３（ａ）は、第２の例において、図１２の系統稼動特性テーブル１２０のさらに別の１つを示したものである。（ｂ）は（ａ）をグラフ化したものである。
使用室数とエネルギー使用量累積値の関係を、２例挙げると次のようになる。
・使用室数２５室（使用室率２８％）の場合：エネルギー使用量累積値１０kW／h
・使用室数６８室（使用室率７６％）の場合：エネルギー使用量累積値１８kW／h
【０１０５】
図２１〜図２３の各系統稼動順のエネルギー使用量累積値を比較すると、図２１の系統稼動順は、いずれの場合も他の系統稼動順よりエネルギー使用量累積値が同じか又は小さくなる。しかし、種々の事情で図２１の系統稼動順を採用できない場合、他の系統稼動順の中からエネルギー使用量累積値の最も小さいものを見出すために比較する。例えば、図２２と図２３のいずれの系統稼動順が省エネルギーであるかを比較してみる。そうすると、使用室数２５室の場合は、図２２の系統稼動順の方がエネルギー使用量累積値が小さいが、使用室数６８室の場合は、図２３の系統稼動順の方がエネルギー使用量累積値が小さくなる。このように、使用室数によって有利な系統稼動順が入れ替わる場合がある。
【０１０６】
以上述べた通り、本発明の一般形態を適用することにより、使用室数（すなわり予約室数）に応じて最も省エネルギーとなる系統稼動順を見出すことが可能である。この見出された系統稼動順に従って部屋割当を行うことにより、省エネルギーを実現することができる。
【符号の説明】
【０１０７】
１、５  部屋割当支援装置
２  ホテル予約システム
３  熱交換機制御システム
１０  部屋割当支援処理部
１２  熱交換機系統登録部
１３  系統稼動特性登録部
１４  ホテル予約情報取得部
１５  部屋割当支援情報決定部
１６  部屋割当支援情報送信部
１７  熱交換機稼動停止指示部
１８  管理端末
１９  データベース
５０  部屋割当支援処理部
５１  熱交換機系統登録部
５２  熱交換機系統順列算出部
５３  系統稼動特性登録部
５４  ホテル予約情報取得部
５５  部屋割当支援情報決定部
５６  部屋割当支援情報送信部
５７  熱交換機稼動停止指示部
５８  管理端末
５９  データベース
【図１】
0005930299.tif 000002
【図２】
0005930299.tif 000003
【図３】
0005930299.tif 000004
【図４】
0005930299.tif 000005
【図５】
0005930299.tif 000006
【図６】
0005930299.tif 000007
【図７】
0005930299.tif 000008
【図８】
0005930299.tif 000009
【図９】
0005930299.tif 000010
【図１０】
0005930299.tif 000011
【図１１】
0005930299.tif 000012
【図１２】
0005930299.tif 000013
【図１３】
0005930299.tif 000014
【図１４】
0005930299.tif 000015
【図１５Ａ】
0005930299.tif 000016
【図１５Ｂ】
0005930299.tif 000017
【図１６】
0005930299.tif 000018
【図１７】
0005930299.tif 000019
【図１８】
0005930299.tif 000020
【図１９】
0005930299.tif 000021
【図２０】
0005930299.tif 000022
【図２１】
0005930299.tif 000023
【図２２】
0005930299.tif 000024
【図２３】
0005930299.tif 000025
【図２４】
0005930299.tif 000026